(57)【要約】【課題】  着信音の鳴動により煩わされることなく、また、着呼した通信にも必要に応じて応答するかまたは応答しないで済むことができる通信装置を提供すること。【解決手段】  着呼応答待機状態において所定の着信音停止機能呼出操作入力がなされると、着呼した通信への応答を保留しつつ着信音の鳴動を停止することを特徴とする。【選択図】    図１
2006180555.tif 000002
【特許請求の範囲】
【請求項１】
着呼があると、着信音の鳴動を開始すると共に所定の通信開始指示操作入力がなされるまで着呼した通信への応答を保留しつつ着信音の鳴動を継続する着呼応答待機状態に移行し、その着呼応答待機状態において、所定の通信開始指示操作入力がなされると着信音の鳴動を停止して前記着呼した通信に応答して通信を開始する通信装置において、
所定の着信音停止機能呼出操作入力がなされたか否かを検出する操作入力検出手段と、前記着呼応答待機状態において前記操作入力検出手段により前記所定の着信音停止機能呼出操作入力がなされたことが検出されると、前記着呼した通信への応答を保留しつつ着信音の鳴動を停止する着信音停止手段とを備えたことを特徴とする通信装置。
【請求項２】
前記操作入力検出手段は、前記着呼応答待機状態にないときには所定の他機能の呼び出し用に割り当てられている所定の他機能呼出用操作入力が、前記着呼応答待機状態にあるときになされると、当該所定の他機能呼出用操作入力を前記所定の着信音停止機能呼出操作入力として検出するものであることを特徴とする請求項１に記載の通信装置。
【請求項３】
前記着呼応答待機状態において前記操作入力検出手段により前記所定の着信音停止機能呼出操作入力として検出される前記所定の他機能呼出用操作入力として、任意の他機能の呼び出し用の操作入力を割り当てる呼出操作設定手段を更に備えたことを特徴とする請求項２に記載の通信装置。
【発明の詳細な説明】
【技術分野】
【０００１】
本発明は、携帯電話、携帯データ通信端末等の通信装置に関する。
【背景技術】
【０００２】
携帯電話を例にすると、今までは着呼時の着信音を消すには、「通話」キーを押下する等の通信開始を指示する所定の操作入力を行うことにより、着呼に応答するか、あらかじめ着呼時に着信音を鳴動させるのではなく、バイブレータを振動させる設定にして、着信音が鳴動しないようにしておくしかなかった。
【発明の開示】
【発明が解決しようとする課題】
【０００３】
しかし、電車内等の公共の場所に居る場合に、携帯電話の着信音が鳴動すると、まわりの人に迷惑になるため、着信音の鳴動を止めるためだけのために、通信開始を指示する所定の操作入力を行って、着呼に応答してしまうと、着信音の鳴動は止まるが、着呼に応答してしうことになるため、通話したくない状況でも発呼元の相手と何らかの会話を交わさなければならず、面倒であるという問題点がある。
【０００４】
一方、着呼時にバイブレータを振動させる設定にしておく場合は、携帯電話を常に体に密着させておかなければならず、うっかり体から離していると応答すべき重要な着呼に応答できず、社会生活に支障をきたすという問題点がある。
【０００５】
携帯電話に限らず、携帯データ通信端末や、室内で使用する通信端末などのその他の通信装置においても、同様の問題点がある。
【０００６】
本発明は係る事情に鑑みてなされたものであり、着信音の鳴動により煩わされることなく、また、着呼した通信にも必要に応じて応答するかまたは応答しないで済むことができる通信装置を提供することを目的とする。
【課題を解決するための手段】
【０００７】
上記目的を達成するため、請求項１に記載の通信装置は、着呼があると、着信音の鳴動を開始すると共に所定の通信開始指示操作入力がなされるまで着呼した通信への応答を保留しつつ着信音の鳴動を継続する着呼応答待機状態に移行し、その着呼応答待機状態において、所定の通信開始指示操作入力がなされると着信音の鳴動を停止して前記着呼した通信に応答して通信を開始する通信装置において、所定の着信音停止機能呼出操作入力がなされたか否かを操作入力検出手段により検出し、着信音停止手段は、前記着呼応答待機状態において前記操作入力検出手段により前記所定の着信音停止機能呼出操作入力がなされたことが検出されると、前記着呼した通信への応答を保留しつつ着信音の鳴動を停止することを特徴とする。
【０００８】
請求項２に記載の通信装置は、請求項１に記載の通信装置において、前記操作入力検出手段は、前記着呼応答待機状態にないときには所定の他機能の呼び出し用に割り当てられている所定の他機能呼出用操作入力が、前記着呼応答待機状態にあるときになされると、当該所定の他機能呼出用操作入力を前記所定の着信音停止機能呼出操作入力として検出するものであることを特徴とする。
【０００９】
請求項３に記載の通信装置は、請求項２に記載の通信装置において、前記着呼応答待機状態において前記操作入力検出手段により前記所定の着信音停止機能呼出操作入力として検出される前記所定の他機能呼出用操作入力として、任意の他機能の呼び出し用の操作入力を割り当てる呼出操作設定手段を更に備えたことを特徴とする。
【発明の効果】
【００１０】
請求項１に係る発明によれば、着呼があって着信音の鳴動を開始してから、「通信」キーの押下等の前記所定の通信開始指示操作入力がなされて前記着呼した通信に応答して通信が開始されるまでの着呼応答待機状態において、「着信音停止」キーの押下等の前記所定の着信音停止機能呼出操作入力がなされると、前記着呼した通信への応答が保留されつつ着信音の鳴動が停止されるため、ユーザは、着信音の鳴動が煩わしく、とりあえず着信音の鳴動を停止したいような場合には、前記所定の着信音停止機能呼出操作入力を行うことにより、着信音の鳴動を停止することが可能となる。その場合、着信音の鳴動は停止していても、着呼した通信への応答は保留されたままであるため、着呼した通信に応答したければ、前記所定の通信開始指示操作入力を行えばよく、着呼した通信に応答しなくなければ、前記所定の通信開始指示操作入力を行うことなくそのまま放置すれば、発呼元の通信装置側があきらめて発呼を中断して着呼した通信を未応答のまま終了させることが可能となる効果が得られる。
【００１１】
請求項２に係る発明によれば、前記着呼応答待機状態にないときには所定の他機能の呼び出し用に割り当てられている所定の他機能呼出用操作入力を、前記着呼応答待機状態にあるときには、前記所定の着信音停止機能呼出操作入力として検出するため、同一の入力操作により、前記着呼応答待機状態にないときに、前記所定の他機能を呼び出すことができ、前記着呼応答待機状態にあるときには、前記着信音停止機能を呼び出すことができるため、前記着信音停止機能呼び出し専用のキーを配設したりしなくても、他機能呼び出し用の既存のキーの読み替え等により前記着信音停止機能を呼び出すことが可能となり、ユーザからの操作入力を受け入れるためのユーザインターフェースに制限がある場合でも、前記着信音停止機能を呼び出して実行することが可能となる効果が得られる。
【００１２】
請求項３に係る発明によれば、前記着信音停止機能の呼び出しのための操作入力として、任意の他機能呼び出し用操作入力のうちのユーザの所望するものを割り当てることが可能となるため、前記着信音停止機能をユーザが使やすく利用することが可能となる効果が得られる。
【発明を実施するための最良の形態】
【００１３】
以下、添付図面を参照しながら、本発明を実施するための最良の形態を詳細に説明する。
【００１４】
先ず、図１は、本発明を実施するための最良の形態に係る通信装置１のブロック構成を示している。
【００１５】
同図において、通信装置１は、ＣＰＵ２、ＲＯＭ３、ＲＡＭ４、ＦＲＯＭ５、操作表示部６、データ通信部７、鳴動部８、スピーカ８ａ、及び、システムバス９により構成されている。
【００１６】
ＣＰＵ２は、ＲＯＭ３に書き込まれた制御プログラムや制御用データに従って、ＲＡＭ４を作業領域として使用しながら、装置各部を制御するセントラルプロセッシングユニットである。
【００１７】
ＲＯＭ３は、前述したように、ＣＰＵ２が装置各部を制御するための制御プログラムやデータが記憶されているリードオンリメモリである。ＲＡＭ４は、前述したようにＣＰＵ２の作業領域として使用されるランダムアクセスメモリである。ＦＲＯＭ５は、電気的に書き換え可能な読み出し専用メモリ、いわゆるフラッシュＲＯＭで、装置電源遮断時にも保持する必要のある、装置動作に必要な各種パラメータや設定情報を記憶するためのものである。なお、ＦＲＯＭ５を、電池によりバックアップされたＲＡＭにより代用することも可能である。
【００１８】
操作表示部６は、相手先番号をテンキーやその他各種キーが配設される一方、液晶表示装置等の表示器を備え、ユーザに知らせるべき装置の動作状態や、各種メッセージを表示するものである。
【００１９】
図２に、一部図示を省略した操作表示部６の配置構成例を示す。同図において、テンキー６ａは、通信相手先電話番号等を指定したりするために用いられるものである。テンキー６ａは、数字「１」ないし「９」を入力するためのキー、記号「＊」を入力するためのキー、及び、記号「＃」を入力するためのキーにより構成されていて、それらのキーは、各数字または記号を入力するという機能の呼び出しに割り当てられたキーということができる。
【００２０】
［↑］キー６ｂ及び［↓］キー６ｃは、表示器６ｊに表示された項目のうちのいずれかを選択するために使用されるためのカーソルキーである。［↑］キー９ｂは、いわば、表示器６ｊに表示された現在選択されている項目から１つ上の項目に選択をずらすという機能の呼び出しに割り当てられ、［↓］キー９ｃ、いわば、表示器６ｊに表示された現在選択されている項目から１つ下の項目に選択をずらすという機能の呼び出しに割り当てられたキーということができる。
【００２１】
［Ｆ］キー６ｄは、ファンクションキーで、押下されると、選択可能な項目を表示器６ｊに表示するためのものである。［Ｆ］キー６ｄの押下により表示器６ｊに表示された選択可能な項目のうち、［決定］キー６ｅが押下されたときに［↑］キー９ｂ及び［↓］キー９ｃにより選択されていた項目の機能が呼び出されて実行される。
【００２２】
［キーＡ］６ｉ、［キーＢ］６ｆ及び［キーＣ］６ｇは、それぞれ所定の各機能の呼び出しに割り当てられたキーである。［通信］キー６ｈは、着呼時に押下されると、着呼した通信に応答して通信を開始するためのものである。表示器６ｊは、ユーザに知らせるべき装置の動作状態や、各種メッセージを表示するものである。
【００２３】
図１に戻って、データ通信部７は、通信網と接続されて、着呼の検出や、通信網を介した所定のプロトコルに基づく通信の制御を行うものである。鳴動部８は、ＣＰＵ２からの指示に応じて、ＲＯＭ３に予め格納された音色データや鳴動パターンデータをディジタル／アナログ変換してスピーカ８ａに出力し、着信音を鳴動させるためのものである。システムバス９は、上記各部がデータをやり取りするための信号ラインである。
【００２４】
次に、以上のように構成される通信装置１におけるファンクションキー押下対応処理手順について、図３を参照して説明する。
【００２５】
同図において、ＣＰＵ２は、操作表示部６の［Ｆ］キー６ｄが押下されるかを監視し（判断１０１のＮｏループ）、［Ｆ］キー６ｄが押下されると（判断１０１のＹｅｓ）、表示器６ｊに、図４に示す表示Ｄ０１を表示する（処理１０２）。
【００２６】
表示Ｄ０１においては、選択可能な項目として、「着信音停止機能割り当て」、「機能Ａ」、「機能Ｂ」及び「機能Ｃ」が表示され、［↑］キー６ｂ及び［↓］キー６ｃにより所望の項目を選択し、よければ［決定］キー６ｅを押下するように促す。なお、現在記号「→」が指し示す機能Ｂが選択されていることを示している。
【００２７】
そして、［↑］キー６ｂまたは［↓］キー６ｃが押下されるごとに、表示Ｄ０１における記号「→」の位置を１つ上の項目または１つ下の項目に移動すると共に、現在選択されている項目位置を記憶するカーソル制御を行いつつ（処理１０３）、［決定］キー６ｅが押下されるのを待つ（判断１０４のＮｏループ）。
【００２８】
［決定］キー６ｅが押下されると（判断１０４のＹｅｓ）、［決定］キー６ｅが押下された時点で記号「→」が位置していた選択項目が、「着信音停止機能割り当て」機能であったか否かを判断し（判断１０５）、選択項目が「着信音停止機能割り当て」機能ではなかった場合は（判断１０５のＮｏ）、選択された機能Ａ、ＢまたはＣのいずれかの機能を実行して（処理１０６）処理を終了する。
【００２９】
選択項目が「着信音停止機能割り当て」機能であった場合は（判断１０５のＹｅｓ）、表示器６ｊに、図４に示す表示Ｄ０２を表示する（処理１０７）。処理１０７における表示Ｄ０２においては、着信音停止機能を割り当てるキーを押して下さいとのメッセージを表示して所望のキーの押下を促すと共に、押下されたキーを示すイメージ（図においては、テンキー６ａの「＃」を示すイメージ）を表示して、ユーザが押下したキーをユーザに確認させる。また押下したキーが、着信音停止機能を割り当てるキーとしてよければ、［決定］キー６ｅを押下するように促す。
【００３０】
処理１０７により表示Ｄ０２の表示器６ｊの表示すると共に、着信音停止機能を割り当てるべきキーとして押下されたキーを認識する処理を（処理１０８）、［決定］キー６ｅが押下されるまで繰り返し行い（判断１０９のＮｏループ）、［決定］キー６ｅが押下されると（判断１０９のＹｅｓ）、［決定］キー６ｅが押下された時点で処理１０８により認識されていた押下されたキーを、着信音停止機能呼出キーとして図５に示すように、ＦＲＯＭ５の所定の記憶領域５ａに登録する。なお、着信音停止機能呼出キーの登録は、実際には、押下されたキーに対応するキーゴートデータとして登録される。
【００３１】
このように、着信音停止機能呼出キーが登録された上で通信装置１において行われる着信応答処理手順について、図６を参照して説明する。
【００３２】
同図において、ＣＰＵ２は、データ通信部７により着呼が検出されかを監視し（判断２０１のＮｏループ）、着呼が検出されると（判断２０１のＹｅｓ）、鳴動部８に指示して着信音の鳴動を開始せさる（処理２０２）。処理２０２が実行された後は着信音の鳴動が停止されるまで、スピーカ８ａから着信音が継続的に出力されることになる。
【００３３】
処理２０２で着信音の鳴動を開始した後、着呼が終了したか、すなわち、発呼元の通信装置側が発呼処理を中断したか（判断２０３のＮｏ）、［通信］キー６ｈが押下されたか（判断２０４のＮｏ）、または、着信音停止機能呼出キーが押下されたかを監視する（判断２０５のＮｏループ）。
【００３４】
判断２０４における、［通信］キー６ｈが押下されたか否かの判断は、キーの押下に応じて操作表示部６から出力されるキーコードが［通信］キー６ｈに対応するものであるか否かにより判断される。また、判断２０５における、着信音停止機能呼出キーが押下されたか否かの判断は、キーの押下に応じて操作表示部６から出力されるキーコードが、図５に示したように、ＦＲＯＭ５の記憶領域５ａに着信音停止機能呼出キーとして登録されているキーコードであるか否かにより判断される。
【００３５】
判断２０３において着呼が終了してしまった場合、すなわち、着信音が鳴動している最中に発呼元の通信装置が発呼処理を中断した場合には（判断２０３のＹｅｓ）、鳴動部８に指示して着信音の鳴動を停止させて（処理２０６）、着呼応答処理を終了する。
【００３６】
判断２０４において［通信］キー６ｈが押下された場合、すなわち、着信音が鳴動している最中に、通信装置１のユーザが着呼した通信に応答したいと所望した場合には（判断２０４のＹｅｓ）、鳴動部８に指示して着信音の鳴動を停止させて（処理２０７）、着呼した通信に応答して通信を開始する。
【００３７】
判断２０５において、着信音停止機能呼出キーが押下された場合、すなわち、通信装置１のユーザが着呼した通信した即座には応答したくないが、着信音の鳴動だけは止めたいと所望した場合は（判断２０５のＹｅｓ）、鳴動部８に指示して着信音の鳴動を停止させる（処理２０８）。これにより、着信音の鳴動は停止するが、着呼した通信は応答されないまま保留された状態にある。
【００３８】
発呼元の通信装置は、処理２０８の後、通信装置１が応答するのを待ちつつ、一定時間経過しても応答がない場合には、発呼処理を中断しようとしている。それに対応して通信装置１では、［通信］キー６ｈが押下されるか（判断２０９のＮｏ）、または、発呼元の通信装置側が発呼処理を中断して着呼が終了するまで待つ（判断２１０のＮｏループ）。
【００３９】
そして、判断２０９において［通信］キー６ｈが押下された場合は（判断２０９のＹｅｓ）、着呼した通信に応答して通信を開始する。判断２１０において着呼が終了してしまった場合は（判断２１０のＹｅｓ）、着呼応答処理を終了する。
【００４０】
このように本発明を実施するための最良の形態によれば、着信音が鳴動して着呼があったことを知ったユーザは、［通信］キー６ｈを押下すれば、従来と同様にそのまま通信を開始でき、着信音停止機能呼出キー（本発明を実施するための最良の形態においては、テンキー６ａの「＃」キー）を押下すれば、着呼した通信への応答は保留したまま、とりあえず着信音だけを止めて、まわりの人の迷惑をかけないようにしたり、自分自身が着信音の騒音により煩わされないようにすることができ、また、着信音を止めたいためだけに［通信］キー６ｈを押下して今は応答したくない着呼した通信に無理に応答する必要もない。着信音を停止した後に、応答を保留している通信に応答したければ、［通信］キー６ｈを押下し応答すればよいし、応答したくなければ、そのまま放置すれば、発呼側の通信装置がいずれ発呼処理を中断して着呼は自然に終了する。
【００４１】
また、着呼時における着信音停止機能呼出キーとして、操作表示部６の、着呼時以外には、他の機能の呼び出しのために割り当てられている任意のキーを設定できるため、ユーザの使い勝手がよくなる。もっとも、着呼時における着信音停止機能呼出キーとして、例えばテンキー６ａの「＊」キー等の、着呼時以外には他の機能の呼び出しのために割り当てられている、特定のキーに固定的に割り当てるようにしてもよい。それらの場合、着呼時における着信音停止機能呼出キーとして、着呼時以外には他の機能の呼び出しのために割り当てられているキーを割り当てることで、一般に無制限に操作キーを配設できず、ユーザインターフェースに制限のある携帯通信端末等の通信装置に対して本発明に係る着信音停止機能を容易に適用することができるようになる。もっとも、操作キーの配設に余裕がある場合には着信音停止機能呼び出し用の専用のキーを配設するようにしてもよいのはいうもでもない。
【００４２】
また、以上説明した本発明を実施するための最良の形態において、各種操作入力をキーの押下により行う場合を例にとって説明したが、本発明は操作入力の形態により限定されるものではなく、各種操作入力をタッチキーへのタッチにより行うようなその他の操作入力形態であっても本発明は同様に適用可能である。
【図面の簡単な説明】
【００４３】
【図１】本発明を実施するための最良の形態に係る通信装置のブロック構成について示す図である。
【図２】本発明を実施するための最良の形態に係る通信装置の操作表示部の構成について示す図である。
【図３】本発明を実施するための最良の形態に係る通信装置におけるファンクションキー押下対応処理手順について示すフローチャートである。
【図４】図３の処理手順における表示例について示す図である。
【図５】着信音機能呼出キーして割り当られたキー種別について示す図である。
【図６】本発明を実施するための最良の形態に係る通信装置における着信応答処理手順ついて示すフローチャートである。
【符号の説明】
【００４４】
１  通信装置
２  ＣＰＵ
３  ＲＯＭ
４  ＲＡＭ
５  ＦＲＯＭ
５ａ  着信音停止停止機能呼出キーを登録するための記憶領域
６  操作表示部
７  データ通信部
８  鳴動部８
８ａ  スピーカ
９  システムバス
【図１】
2006180555.tif 000003
【図２】
2006180555.tif 000004
【図３】
2006180555.tif 000005
【図４】
2006180555.tif 000006
【図５】
2006180555.tif 000007
【図６】
2006180555.tif 000008